(57)【要約】【課題】導光板と反射シートとを備える照明装置において、輝度を向上させること。【解決手段】バックライト装置は、側面に設けられた入光面と、一方の板面に設けられた出光面と、出光面とは反対側の板面である反対板面２０ｃと、を有する導光板２０と、導光板２０の入光面と対向して配されたＬＥＤ光源と、導光板２０の反対板面２０ｃ側に配され、反対板面２０ｃと対向する面が光を反射する反射面とされた反射シート２６であって、反射面が、ＬＥＤ光源側から反対板面２０ｃ側に傾斜して立ち上がる傾斜面２６ｃ１を含む凹凸状とされた反射シート２６と、を備える。【選択図】図５
2013149559.tif 000002
【特許請求の範囲】
【請求項１】
側面に設けられた入光面と、一方の板面に設けられた出光面と、該出光面とは反対側の板面である反対板面と、を有する導光板と、
前記導光板の前記入光面と対向して配された光源と、
前記導光板の前記反対板面側に配され、前記反対板面と対向する面が光を反射する反射面とされた反射シートであって、前記反射面が、前記光源側から前記反対板面側に傾斜して立ち上がる傾斜面を含む凹凸状とされた反射シートと、
を備える照明装置。
【請求項２】
前記導光板の対辺を構成する二つの側面の各々に入光面が設けられ、
前記入光面の各々に対向するように二方向に前記光源が配され、
凹凸状とされた前記反射面のうち凸の部位が、二方向に配された前記光源の各々の側から前記反対板面側に傾斜して立ち上がる二つの傾斜面を含む、請求項１に記載の照明装置。
【請求項３】
隣接する前記傾斜面の間隔が１０μｍから１０００μｍの範囲内とされている、請求項１又は請求項２に記載の照明装置。
【請求項４】
複数の前記傾斜面の高さが１０μｍから１００μｍの範囲内とされている、請求項１から請求項３のいずれか１項に記載の照明装置。
【請求項５】
前記傾斜面が前記反対板面に対して１０°から４５°の角度をなすように設けられている、請求項１から請求項４のいずれか１項に記載の照明装置。
【請求項６】
前記反射シートは、該反射シートの表裏に配された一対の支持層と、該一対の支持層の間に挟まれて配された反射層と、を有し、前記反対板面と対向する一方の前記支持層が前記反射面とされている、請求項１から請求項５のいずれか1項に記載の照明装置。
【請求項７】
前記反射シートの前記反射層内には、炭酸ガスを含む液体が気化されることにより形成された空隙が含まれる、請求項６に記載の照明装置。
【請求項８】
前記反射シートは、白色無機粒子を添加したＰＥＴフィルムを延伸させることにより形成されたものである、請求項６又は請求項７に記載の照明装置。
【請求項９】
前記反射シートは、非相溶樹脂を添加したＰＥＴフィルムを延伸させることにより形成されたものである、請求項６又は請求項７に記載の照明装置。
【請求項１０】
前記反射シートの前記反射面にビーズコーティングが施されている、請求項１から請求項９のいずれか１項に記載の照明装置。
【請求項１１】
請求項１から請求項１０のいずれか１項に記載の照明装置からの光を利用して表示を行う表示パネルを備えることを特徴とする表示装置。
【請求項１２】
前記表示パネルが液晶を用いた液晶パネルであることを特徴とする請求項１１に記載の表示装置。
【請求項１３】
請求項１１又は請求項１２に記載の表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。このようなバックライト装置の一例として、導光板の側面に入光面が設けられ、導光板の側面側にＬＥＤ等の光源が配されたエッジライト型のバックライト装置が知られている。
【０００３】
エッジライト型のバックライト装置では、導光板と筐体としてのシャーシの底板との間であって導光板の出光面とは反対側に反射シートが配されることがある。このような反射シートを配することにより、光源から出射されて導光板内へと入射した光のうち導光板から漏れた光を、当該反射シートによって反射させて再び導光板内へと戻すことが可能となり、光の利用効率を向上させることができる。このような反射シートを備えるエッジライト型のバックライト装置の一例として、例えば特許文献１のバックライト装置が開示されている。
【先行技術文献】
【特許文献】
【０００４】
【特許文献１】特開２００９−２６６６３６号公報
【発明の概要】
【発明が解決しようとする課題】
【０００５】
ところで、導光板から反射シート側へ漏れる光は、反射シートの反射面に対して斜め方向から入射する。一方、反射シートの反射面は平坦面とされている。このため、上記した特許文献１の照明装置では、導光板から反射シート側へ漏れて反射シートへ到達した光は、反射シートによって、導光板の反射シートと対向する板面に対して斜め方向から入射するような方向（当該板面に対して４５°〜０°の角度をなして入射するような方向）へと反射される。この結果、反射シートによって反射されて導光板内へと戻った光は、導光板の出光面に対してその斜め方向へと出射されることとなるため、導光板の出光面を正面から視たときの輝度を十分に得ることができない。
【０００６】
本明細書で開示される技術は、上記の課題に鑑みて創作されたものである。本明細書で開示される技術は、エッジライト型の照明装置において、導光板の出光面を正面から視たときの輝度を向上させることができる技術を提供することを目的とする。
【課題を解決するための手段】
【０００７】
本明細書で開示される技術は、側面に設けられた入光面と、一方の板面に設けられた出光面と、該出光面とは反対側の板面である反対板面と、を有する導光板と、前記導光板の前記入光面と対向して配された光源と、前記導光板の前記反対板面側に配され、前記反対板面と対向する面が光を反射する反射面とされた反射シートであって、前記反射面が、前記光源側から前記反対板面側に傾斜して立ち上がる傾斜面を含む凹凸状とされた反射シートと、を備える照明装置。
【０００８】
このような照明装置によれば、光源から出射されて導光板の反対板面から反射シート側に漏れた光は、反射面の傾斜面によって、反射シートの反射面が平坦面とされている場合に比して導光板の反対板面に対して一層直交するような方向（反対板面に対して９０°〜４５°の角度をなして入射するような方向）、即ち導光板の出光面に対して一層直交するような方向へと反射されることとなる。これにより、導光板の出光面を正面から視たときの光量が増加することとなるので、エッジライト型の照明装置において、導光板の出光面を正面から視たときの輝度を向上させることができる。
【０００９】
前記導光板の対辺を構成する二つの側面の各々に入光面が設けられ、前記入光面の各々に対向するように二方向に前記光源が配され、凹凸状とされた前記反射面のうち凸の部位が、二方向に配された前記光源の各々の側から前記反対板面側に傾斜して立ち上がる二つの傾斜面を含んでもよい。
この構成によると、二方向に光源を配した場合に、各々の光源から出射されて導光板の反対板面から反射シート側に漏れた光を、二つの傾斜面によって、反射シートの反射面が平坦面とされている場合に比して導光板の出光面に対して直交するような方向へと反射させることができる。このため、二方向に光源を配した場合であっても、エッジライト型の照明装置において、導光板の出光面を正面から視たときの輝度を向上させることができる。
【００１０】
隣接する前記傾斜面の間隔が１０μｍから１０００μｍの範囲内とされていてもよい。又は、複数の前記傾斜面の高さが１０μｍから１００μｍの範囲内とされていてもよい。
隣接する傾斜面の間隔又は傾斜面の高さが１０μｍより小さいと、傾斜面の面積が微小なものとなり、傾斜面を設けた効果が不十分なものとなる。また、隣接する傾斜面の間隔又は傾斜面の高さが１０００μｍより大きいと、傾斜面によって反射される光同士が十分に混ざり合わないため、輝度ムラが生じ易いものとなる。上記の構成によると、反射シートに傾斜面を設けることによる照明装置の輝度向上を効果的なものとすることができる。
【００１１】
前記傾斜面が前記反対板面に対して１０°から４５°の角度をなすように設けられていてもよい。
この構成によると、傾斜面によって反射される光が導光板の反対板面に対して直交するような方向へ反射されるための、傾斜面の具体的な角度を実現することができる。
【００１２】
前記反射シートは、該反射シートの表裏に配された一対の支持層と、該一対の支持層の間に挟まれて配された反射層と、を有し、前記反対板面と対向する一方の前記支持層が前記反射面とされていてもよい。
この構成によると、反射シートの製造工程において、一方の支持層を凹凸状の反射面を形成することにより、反射面が凹凸状とされた反射シートを実現することができる。
【００１３】
反射シートの前記反射層内には、炭酸ガスを含む液体を気化させることにより形成された空隙が含まれてもよい。
この構成によると、反射層内に空隙を形成するための具体的な製造方法を実現することができる。
【００１４】
前記反射シートは、白色無機粒子を添加したＰＥＴフィルムを延伸させることにより形成されたものであってもよい。または、非相溶樹脂を添加したＰＥＴフィルムを延伸させることにより形成されたものであってもよい。
この構成によると、内部に空隙が形成された三層構造の反射シートを形成することができる。
【００１５】
前記反射シートの前記反射面にビーズコーティングが施されていてもよい。
この構成によると、コーティングされたビーズによって反射面における光の反射率を高めることができる。
【００１６】
本明細書で開示される技術は、上記の照明装置からの光を利用して表示を行う表示パネルと、を備える表示装置として表現することもできる。また、当該表示パネルを、液晶を用いた液晶パネルとする表示装置も、新規で有用である。また、上記の表示装置を備えるテレビ受信装置も、新規で有用である。
【発明の効果】
【００１７】
本明細書で開示される技術によれば、エッジライト型の照明装置において、導光板の出光面を正面から視たときの輝度を向上させることができる技術を提供することができる。
【図面の簡単な説明】
【００１８】
【図１】実施形態１に係るテレビ受信装置ＴＶの分解斜視図
【図２】液晶表示装置１０の分解斜視図
【図３】液晶表示装置１０の断面図
【図４】反射シート２６の断面図
【図５】反射シート２６による光の反射態様を示す断面図
【図６】実施形態２に係るバックライト装置１２４の断面図
【図７】反射シート１２６による光の反射態様を示す断面図
【図８】実施形態３に係るバックライト装置の反射シート２２６の断面図
【発明を実施するための形態】
【００１９】
＜実施形態１＞
図面を参照して実施形態１を説明する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。また、特に断りがない限りは、上下の記載については鉛直方向を基準とする。
【００２０】
図１は、実施形態１に係るテレビ受信装置ＴＶの分解斜視図を示している。テレビ受信装置ＴＶは、液晶表示装置１０と、当該表示装置Ｄを挟むようにして収容する表裏両キャビネットＣａ、Ｃｂと、電源Ｐと、チューナーＴと、スタンドＳと、を備えている。
【００２１】
図２は、液晶表示装置１０の分解斜視図を示している。ここで、図２に示す上側を表側とし、同図下側を裏側とする。図２に示すように、液晶表示装置１０は、全体として横長の方形を成し、表示パネルである液晶パネル１６と、外部光源であるバックライト装置２４とを備え、これらが枠状を成すベゼル１２などにより一体的に保持されるようになっている。
【００２２】
続いて、液晶パネル１６について説明する。液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２３】
続いて、バックライト装置２４について説明する。図３は、液晶表示装置１０を鉛直方向（Ｙ軸方向）に沿って切断した断面の断面図を示している。図２及び図３に示すように、バックライト装置２４は、フレーム１４と、光学部材１８と、シャーシ２２とを備えている。フレーム１４は、枠状を成しており、導光板２０の表面（出光面２０ｂ）の端縁側に沿って配され、内縁に沿って液晶パネル１６を支持している。光学部材１８は、導光板２０の表側（出光面２０ｂ側）に載置されている。シャーシ２２は、表側（光出射側、液晶パネル１６側）に開口した略箱型を成している。
【００２４】
シャーシ２２内には、ＬＥＤ（Light Emitting Diode）ユニット３２と、反射シート２６と、導光板２０とが収容されている。ＬＥＤユニット３２は、シャーシ２２の一方の長辺側外縁（側板）２２ｂに配されており、光を出射する。導光板２０の一方の長手方向側面（入光面）２０ａはＬＥＤユニット３２と対向する位置に配されており、当該ＬＥＤユニット３２から出射される光を液晶パネル１６側へ導く。そして、この導光板２０の表側に光学部材１８が載置されている。本実施形態に係るバックライト装置２４では、導光板２０および光学部材１８が液晶パネル１６の直下に配されていると共に光源であるＬＥＤユニット３２が導光板２０の側端部に配されてなる、いわゆるエッジライト方式（サイドライト方式）を採用している。なお、上述したように、バックライト装置２４では、ＬＥＤユニット３２が導光板２０の側面周りの一方向のみ配された構成とされている。
【００２５】
シャーシ２２は、例えばアルミ系材料などの金属製とされ、平面視矩形状を成す底板２２ａと、底板２２ａの両長辺の各外縁から立ち上がる側板２２ｂ、２２ｃと、底板２２ａの両短辺の各外縁から立ち上がる側板とから構成されている。シャーシ２２内においてＬＥＤユニット３２及び一方の側板２２ｃと対向する空間が、導光板２０用の収容空間となっている。なお、底板２２ａの裏側には、ＬＥＤユニット３２に電力を供給する電源回路基板（図示しない）等が取り付けられている。
【００２６】
光学部材１８は、導光板２０側から順に、拡散シート１８ａ、レンズシート１８ｂ、反射型偏光板１８ｃが積層されたものである。拡散シート１８ａ、レンズシート１８ｂ、反射型偏光板１８ｃは、ＬＥＤユニット３２から出射され、導光板２０を通過した光を面状の光とする機能を有している。反射型偏光板１８ｄの上面側には液晶パネル１６が設置されており、光学部材１８は導光板２０と液晶パネル１６との間に配されている。
【００２７】
ＬＥＤユニット３２は、樹脂製の矩形状を成すＬＥＤ基板３０に、白色発光するＬＥＤ光源２８が一列に並んだ構成となっている。ＬＥＤ基板３０は、シャーシ２２の一方の側板２２ｂに、ビス留め等により固定されている。なお、ＬＥＤ光源２８は、青色発光素子に、黄色の領域に発光ピークを持つ蛍光体を塗布することにより白色発光するものとしたものであってもよい。また、青色発光素子に、緑色と赤色の領域にそれぞれ発光ピークを持つ蛍光体を塗布することにより白色発光するものとしたものであってもよい。また、青色発光素子に、緑色の領域に発光ピークを持つ蛍光体を塗布すると共に、赤色発光素子を組み合わせることにより白色発光するものとしたものであってもよい。また、ＬＥＤ光源２８は、青色発光素子と、緑色発光素子と、赤色発光素子と、を組み合わせることにより白色発光するものとしたものであってもよい。また、紫外光発光素子と、蛍光体と、を組み合わせたものであってもよい。特に、紫外光発光素子に、青色と緑色と赤色にそれぞれ発光ピークを持つ蛍光体を塗布することにより白色発光するものとしたものであってもよい。
【００２８】
導光板２０は、矩形状の板状部材とされ、アクリル等の透光性の大きい（透明度の高い）樹脂により形成されており、反射シート２６と当接していると共に、シャーシ２２によって支持されている。導光板２０は、図２に示すように、ＬＥＤユニット２６とシャーシ２２の一方の側板２２ｃとの間に、主板面である出光面２０ｂを拡散シート１８ａ側に向け、出光面２０ｂとは反対側の板面である反対板面２０ｃを反射シート２６側に向ける形で配されている。このような導光板２０が配設されることにより、ＬＥＤユニット３２から生じた光は、導光板２０の入光面２０ａから入射して拡散シート１８ａと対向する出光面２０ｂから出射することで、液晶パネル１６をその背面側から照射する。
【００２９】
続いて本実施形態の要部である反射シート２６の構成について詳しく説明する。反射シート２６は、長手状をなし、合成樹脂製とされるとともに、その表面が光反射性に優れた白色とされており、シャーシ２２の底板２２ａの表側に載置されている。反射シート２６は、その表側に反射面（後述する第２支持層２６ｃ）を有し、この反射面が導光板２０の反対板面２０ｃと当接している。そして、反射シート２６は、ＬＥＤユニット３２又は導光板２０からその反射面側へ漏れた光を反射させることが可能となっている。上記のような反射シート２６は、酸化チタン等の白色フィラーを充填したＰＥＴフィルム又は非相溶樹脂を添加したＰＥＴフィルムを延伸させることによって形成されている。これにより、反射層２６ｂ内の炭酸ガスを含む液体が気化されて反射層２６ｂ内に空隙が生じ、白色なものとなる。
【００３０】
反射シート２６は、フィルムの成形性と反射率の向上を両立させるべく、積層構造とされている。具体的には、反射シート２６は、図４に示すように、三層構造とされており、裏側（シャーシ２２の底板２２ａ側）から順に第１支持層２６ａと、反射層２６ｂと、第２支持層２６ｃと、が積層されて構成されている。即ち、反射シート２６は、第１支持層２６ａと第２支持層２６ｃとの間に反射層２６ｂが挟持された構成となっている。このうち、導光板２０の反対板面２０ｃと対向するとともに反射面とされた第２支持層２６ｃは、図４に示すように、凹凸状とされている。この凹凸は、ＬＥＤ光源２８側（図４における左側）から反対板面２０ｃ側（図４における上側）に向かって傾斜して立ち上がる複数の傾斜面２６ｃ１と、反対板面２０ｃに対して垂直に立ち上がる複数の垂直面２６ｃ２と、によって凹凸状に形成されている。傾斜面２６ｃ１は、反対板面２０ｃに対して１０°から４５°の角度をなすように設けられており、ＬＥＤ光源２８側から立ち上がることで、ＬＥＤ光源２８側に向けられた状態となっている。また、これらの傾斜面２６ｃ１及び垂直面２６ｃ２は、ＬＥＤ基板３０の長手方向（シャーシ２２の長辺方向（Ｘ軸方向））に沿って設けられている。
【００３１】
反射シート２６の第２支持層２６ｃにおいて、隣接する傾斜面２６ｃ１の間隔Ｗ１はそれぞれ等しいものとされ、傾斜面２６ｃ１の高さＷ２はそれぞれ等しいものとされている（図４参照）。そして、隣接する傾斜面２６ｃ１の間隔Ｗ１は１０μｍから１０００μｍの範囲内とされている。さらに、複数の傾斜面２６ｃ１の高さＷ２は１０μｍから１００μｍの範囲内とされている。
【００３２】
続いて、導光板２０の反対板面２０ｃから反射シート２６側に漏れた光の反射態様について説明する。導光板２０の反対板面２６ｃから反射シート２６側に漏れる光は、図５の一点鎖線で示すように、ＬＥＤ光源２８側（図５における左側）から反射シート２６側に向かって斜め方向に進行する。そしてこの光が反射シート２６の反射面（第２支持層２６ｃ）に到達すると、第２支持層２６ｃの傾斜面２６ｃ１によって導光板２０側へと反射される。このとき、傾斜面２６ｃ１はＬＥＤ光源２８側から反対板面２０ｃ側に立ち上がって傾斜しているので、傾斜面２６ｃ１に到達した光は、傾斜面２６ｃ１によって導光板２０の反対板面２０ｃに対してほぼ直交するような方向（反対板面２０ｃに対して９０°の角度をなして入射するような方向）へと反射されることとなる（図５の一点鎖線参照）。
【００３３】
以上のように本実施形態に係るバックライト装置２４では、ＬＥＤ２８から出射されて導光板２０の反対板面２０ｃから反射シート２６側に漏れた光は、反射面２６ｃの傾斜面２６ｃ１によって、反射シート２６の反射面２６ｃが平坦面とされている場合に比して導光板２０の反対板面２０ｃに対して一層直交するような方向（反対板面２０ｃに対して９０°〜４５°の角度をなして入射するような方向）、即ち導光板２０の出光面２０ｂに対して一層直交するような方向へと反射されることとなる。これにより、導光板２０の出光面２０ｂを正面から視たときの光量が増加することとなるので、エッジライト型のバックライト装置２４において、導光板２０の出光面２０ｂを正面から視たときの輝度を向上させることができる。
【００３４】
また、本実施形態に係るバックライト装置２４では、反射シート２６の反射面２６ｃにおいて、隣接する傾斜面２６ｃ１の間隔Ｗ１が１０μｍから１０００μｍの範囲内とされている。さらに、複数の傾斜面２６ｃ１の高さＷ２が１０μｍから１００μｍの範囲内とされている。ここで、反射シート２６の反射面２６ｃにおいて、隣接する傾斜面２６ｃ１の間隔Ｗ１又は傾斜面２６ｃ１の高さＷ２が１０μｍより小さいと、傾斜面２６ｃ１の面積が微小なものとなり、傾斜面を設けた効果が不十分なものとなる。また、隣接する傾斜面２６ｃ１の間隔Ｗ１又は傾斜面２６ｃ１の高さＷ２が１０００μｍより大きいと、傾斜面２６ｃ１によって反射される光同士が十分に混ざり合わないため、輝度ムラが生じ易いものとなる。本実施形態に係るバックライト装置２４によると、反射シート２６に傾斜面２６ｃ１を設けることによるバックライト装置２４の輝度向上を効果的なものとすることができる。
【００３５】
なお、本実施形態に係るバックライト装置２４は、導光板２０を備えるため、導光板２０を備えないバックライト装置に比して輝度設計を行い易いものとすることができる。さらに、バックライト装置２４は、反射シート２６を備えるため、反射シート２６の替わりに反射板を用いるバックライト装置に比して部材コストを削減することができる。
【００３６】
また、反射シートの反射面上に凹凸状の別部材を設ける場合、反射シートに向かった光の向きを反射面によって十分に変化させることができない。これに対し、本実施形態に係るバックライト装置２４では、反射シート２６の反射面自体が凹凸形状とされているため、反射面上に凹凸状の別部材を設ける場合に比して反射される光を反対板面に一層直交するような方向へと向かわせることができる。
【００３７】
＜実施形態２＞
図面を参照して実施形態２を説明する。実施形態２は、ＬＥＤ光源１２８の配置態様及び反射シート１２６の反射面における凹凸形状が実施形態１のものと異なっている。その他の構成については実施形態１のものと同様であるため、構造、作用、及び効果の説明は省略する。なお、図６及び図７において、図３及び図５の参照符号にそれぞれ数字１００を加えた部位は、実施形態１で説明した部位と同一である。
【００３８】
実施形態２に係るバックライト装置１２４では、図６に示すように、導光板１２０の対辺を構成する二つの側面、具体的には、導光板１２０の長辺方向（Ｘ軸方向）の両側面にそれぞれ入光面１２０ａが設けられている。そして、これらの入光面１２０ａに対向するようにシャーシ１２２の長辺方向（Ｘ軸方向）の両側板１２２ｂ、１２２ｃ側にそれぞれＬＥＤ光源１２８が配されている。一方、図７に示すように、凹凸状とされた反射シート１２６の反射面が、ＬＥＤ光源１２８の各々の側から反対板面１２０ｃ側に傾斜して立ち上がる二つの傾斜面１２６ｃ１，１２６ｃ２によって構成されている。
【００３９】
本実施形態に係るバックライト装置１２４において、導光板１２０の反対板面１２６ｃから反射シート１２６側に漏れる光は、図７に示すように、両ＬＥＤ光源２８側（図７における左右側）から反射シート１２６側に向かって斜め方向に進行する。そしてこれらの光が反射シート１２６の反射面（第２支持層１２６ｃ）に到達すると、第２支持層１２６ｃの二つの傾斜面１２６ｃ１，１２６ｃ２によって導光板１２０側へと反射される。このとき、各傾斜面１２６ｃ１，１２６ｃ２は両ＬＥＤ光源１２８側から反対板面１２０ｃ側に立ち上がって傾斜しているので、傾斜面１２６ｃ１，１２６ｃ２に到達した光は、傾斜面１２６ｃ１，１２６ｃ２によって導光板１２０の反対板面１２０ｃに対してほぼ直交するような方向へと反射されることとなる（図７の一点鎖線参照）。このように、二方向にＬＥＤ光源１２８を配した場合であっても、導光板１２０と反射シート１２６とを備えるバックライト装置１２４において、輝度を向上させることができる。
【００４０】
＜実施形態３＞
図面を参照して実施形態３を説明する。実施形態３は、反射シートの反射面上にビーズコーティングが施されている点で実施形態１のものと異なっている。その他の構成については実施形態１のものと同様であるため、構造、作用、及び効果の説明は省略する。なお、図８において、図４の参照符号に数字２００を加えた部位は、実施形態１で説明した部位と同一である。
【００４１】
実施形態３に係るバックライト装置では、図８に示すように、反射シート２２６の反射面（第２支持層２２６ｃ）上にビーズ２３４がコーティングされている。このような構成により、コーティングされたビーズ２３４によって反射面における光の反射率を高めることができる。このため、導光板と反射シート２２６とを備えるバックライト装置において、輝度を一層向上させることができる。
【００４２】
上記の各実施形態の変形例を以下に列挙する。
（１）上記の各実施形態では、導光板の一方の側面側又は対辺を構成する一対の側面側にＬＥＤ光源が配された構成を例示したが、ＬＥＤ光源の配置態様は限定されない。また、反射シートの反射面における傾斜面の形状も限定されない。傾斜面の形状は、ＬＥＤ光源の配置態様に応じたものとすることが好ましい。
【００４３】
（２）上記の各実施形態では、反射シートが三層構造とされた構成を例示したが、反射シートの構造は限定されない。
【００４４】
（３）上記の各実施形態以外にも、反射シートの構成、形状、構成材料、形成方法等については、適宜に変更可能である。
【００４５】
（４）上記の各実施形態では、表示パネルとして液晶パネルを用いた液晶表示装置を例示したが、他の種類の表示パネルを用いた表示装置にも本発明は適用可能である。
【００４６】
（５）上記の各実施形態では、チューナーを備えたテレビ受信装置を例示したが、チューナーを備えない表示装置にも本発明は適用可能である。
【００４７】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【００４８】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４９】
ＴＶ…テレビ受信装置、Ｃａ、Ｃｂ…キャビネット、Ｔ…チューナー、Ｓ…スタンド、１０、１１０…液晶表示装置、１２、１１２…ベゼル、１４、１１４…フレーム、１６、１１６…液晶パネル、１８、１１８…光学部材、２０、１２０…導光板、２０ａ、１２０ａ…入光面、２０ｂ、１２０ｂ…出光面、２０ｃ、１２０ｃ…反対板面、２２、１２２、２２２…シャーシ、２４、１２４…バックライト装置、２６、１２６、２２６…反射シート、２６ａ、１２６ａ、２２６ａ…第１支持層、２６ｂ、１２６ｂ、２２６ｂ…反射層、２６ｃ、１２６ｃ、２２６ｃ…第２支持層（反射面）、２８、１２８…ＬＥＤ光源、３２…ＬＥＤユニット、２３４：ビーズ
【図１】
2013149559.tif 000003
【図２】
2013149559.tif 000004
【図３】
2013149559.tif 000005
【図４】
2013149559.tif 000006
【図５】
2013149559.tif 000007
【図６】
2013149559.tif 000008
【図７】
2013149559.tif 000009
【図８】
2013149559.tif 000010